(57)【特許請求の範囲】
【請求項１】
山形鋼鉄塔の主柱材の取替え工法において、
取替え対象主柱材の上下端に接続された他の主柱材を把持する支え材を設け、
取替え対象主柱材を１つの腹材引付点を有する主柱材毎に区切って複数の切断区間に分け、当該各切断区間で主柱材を切断、撤去し、当該切断箇所に新規な主柱材短片を接続し、
これらの作業を前記切断区間毎に順次行い、トラス構造を形成したまま取替え対象主柱材を複数の主柱材短片から成る新規な主柱材に取替えることを特徴とする、山形鋼鉄塔の主柱材の取替え工法。
【請求項２】
前記切断、撤去する主柱材の腹材引付点に接続された部材を前記撤去前に取り外し、新規な主柱材短片を接続するごとに前記取り外した部材を再び接続する、請求項１に記載の山形鋼鉄塔の主柱材の取替え工法。
【請求項３】
山形鋼鉄塔の主柱材の取替え工法において、
取替え対象主柱材の上下端に接続された他の主柱材を把持する支え材を設け、
取替え対象主柱材の、最上位の腹材引付点に接合されている腹材及び水平材がある場合は当該水平材を取り外し、当該腹材引付点と上位２番目の腹材引付点までの箇所の主柱材を切断、撤去し、
新規な主柱材短片を前記切断箇所の上位側の主柱材又は主柱材短片に接続し、当該新規な主柱材短片に前記取り外した腹材及び水平材がある場合は水平材を接合し、
これらの作業を上から順に繰り返し、トラス構造を形成したまま、取替え対象主柱材を複数の主柱材短片から成る新規な主柱材に取替えることを特徴とする、山形鋼鉄塔の主柱材の取替え工法。
【請求項４】
前記新規な主柱材短片と上位側の主柱材短片との接続は、接続箇所をまたいだ継手用部材をこれらの主柱材短片に当ててボルト・ナットにより接続することを特徴とする、請求項１〜３のいずれかに記載の山形鋼鉄塔の主柱材の取替え工法。
【請求項５】
前記新規な主柱材短片は、両端及び腹材引付点に接続用ボルト穴を予め設けていることを特徴とする、請求項１〜４のいずれかに記載の山形鋼鉄塔の主柱材の取替え工法。
【発明の詳細な説明】
【技術分野】
【０００１】
この発明は、山形鋼鉄塔の主柱材を取替える工法に関するものである。
【背景技術】
【０００２】
塔状構造物は、経年劣化などによりその構造部材が腐食減肉し、必要な強度を維持できなくなった場合、通常建替えが行われる。しかし、塔状構造物の中で、送電用鉄塔は複数の鉄塔が送電線により接続され、常時電力を送る重要なインフラ設備であり、腐食した構成部材を有する鉄塔のみを建替える場合であっても、仮設鉄塔の建設や電線の移線作業等が必要であり、相当の費用と期間を必要とする。
【０００３】
そこで、近年は鉄塔の建替えを行わず、腐食減肉した構成部材のみを取替える手法が多く採られている。特に、トラス構造である鉄塔の主柱材は構造上重要な部材であり、安易に取り外しを行うとトラス構造として不安定となり、倒壊の危険を伴うことから、様々な治具や工法が開発されている。
【０００４】
例えば、主な主柱材取替え工法としては、図６に示すように、取替え対象の主柱材にジャッキ等を組み込んだ複数本の支え材を添わせて把持し、これに応力を分担させて主柱材を取替える工法（特許文献１及び２）が用いられる。
【０００５】
また、新規な主柱材に取替えるに当たり、取替え対象主柱材１本に１つのダブルワーレン結構が形成されている場合、取替え対象主柱材及びそれに接合された腹材を取り外してもトラス構造（シングルワーレン結構）が形成されているので、取替え対象主柱材を新規な主柱材に取替えることができる（図６及び図７の主柱材と腹材によるトラス構造）。
【０００６】
しかしながら、取替え対象主柱材１本に複数のダブルワーレン結構が形成されている場合、主柱材を取り外すためには、これに接続された複数の腹材も同時に取り外す必要があり、その場合に、トラス構造を形成できず、不安定となる課題があった。一般部を図８に、腕金取付け部を図９に示す。
【０００７】
これを解決するため、図１０に示すように、取り外された腹材の代わりとなる仮腹材を取付け、トラス構造を形成しながら主柱材を取り替える工法が用いられている。
【０００８】
また、特許文献３では、取替え対象主柱材の両端に連なる主柱材に固定具を介して設置される支持部材と、取替対象の主柱材を有する主柱に隣接する隣接主柱との間に設置される仮副材により、塔状構造物が補強される。特に、主柱材の撤去に伴い、この主柱材に対する副材の接続が解消されて、塔状構造物のトラス構造が失われても、仮副材により支持部材を介して仮設のトラス構造を形成している。
【先行技術文献】
【特許文献】
【０００９】
【特許文献１】特開平１０−１５３０１５号公報
【特許文献２】特開平０８−１６３７２９号公報
【特許文献３】特許第５４３１１８１号公報
【発明の開示】
【発明が解決しようとする課題】
【００１０】
以上の様に、従来、山形鋼鉄塔の主柱材において腐食などにより部材の取替えが必要となった場合、主柱材取替え時に、取替え対象主柱材に支え材を添わせ、上端継手位置の上位と下端継手位置の下位で把持し、取替え対象主柱材に接合された腹材を外すことで、新規な主柱材に取替えている。
【００１１】
また、取替え対象主柱材１本に複数のダブルワーレン結構が形成され、取替え対象主柱材を取り外すと、これに接合された複数の腹材も同時に取り外れてしまい、トラス構造として不安定となる場合は、複数のダブルワーレン結構部分が１つのシングルワーレン結構となるように一時的に仮腹材を取付けて改造することで、トラス構造を形成して新規な主柱材に取替えている。一般部仮腹材取付け例を図１０に、腕金取付け部仮腹材取付け例を図１１に示す。
【００１２】
しかしながら、図１２に示すように、一般的に腹材の取付け構造は、鉄塔が構成される４つの平面トラスの面に対して、鉄塔の内側から部材を取付けている内付きと、鉄塔の外側から部材を取付けている外付きがあり、右下がり部材を内付き、右上がり部材を外付きとすることで、それぞれが干渉しない構造となっている。仮腹材の取付けは、トラス構造が形成できる範囲で既設腹材を取り外し、かつ、残った腹材等と干渉しないように仮腹材を取付ける必要があるため、仮腹材取付け構造と改造手順を決めるための多大な事前検討作業が必要となる。
【００１３】
また、図１３に示すように、電線を支持する腕金が取付いている箇所の主柱材取替えにおいては、上記の構造と同様に仮腹材を取付けようとすると、腕金を取付けるために鉄塔に設置されている水平材と仮腹材が双方とも外付きとなるため、部材干渉が生じて仮腹材を取付けることができない。
【００１４】
さらに、複数のダブルワーレン結構部分が１つのシングルワーレン結構となるように仮腹材を取付けると、仮腹材の取付け角度が主柱材の角度に近づき、仮腹材に作用する応力が大きくなる（図１４参照）。このため、特殊形状の接合用の仮設プレートを用いたり、既設部材に接合用のボルト穴あけ加工などが必要となる場合がある（図１５参照）。このボルト穴あけ加工は、塔上の作業環境下で一定の精度が求められるとともに、部材取替え完了後も穴が残るため、ボルト穴あけ加工した部位に防錆処理を施す必要があった。
【００１５】
また、仮腹材は主柱材取替え工事完了後には不要となる部材であり、仮腹材の製作に伴いコスト増となる。この様に、取替え対象の主柱材位置の鉄塔構造により仮腹材の取付け構造が異なるため、状況に応じて改造可能な仮腹材取付け構造と改造手順を検討しなければならないという課題があった。
【００１６】
なお、特許文献３で考案された仮腹材を隣接主柱材と支え材に特殊治具を用いて結合する構造とすると、取付けられた仮腹材は隣接主柱材側で既設腹材の接合点から少し離れた位置に取付けられ、かつ、取替え対象主柱材側で主柱材と腹材で構成される平面トラスの面から面外に飛び出した構造となる。このため、一般的な鉄塔とは細部構造の異なるトラス構造となることから、既存設計と異なる考え方で強度検討を行わなければならない。
【００１７】
このように、特許文献１〜３に示す様な従来の主柱材の取替え工法においては、種々の課題がある。
【００１８】
そこで、この発明は、トラス構造を形成しながら、容易かつ確実に山形鋼鉄塔の主柱材を取替える工法を提供することを目的としたものである。
【課題を解決するための手段】
【００１９】
請求項１の発明は、山形鋼鉄塔の主柱材の取替え工法において、取替え対象主柱材の上下端に接続された他の主柱材を把持する支え材を設け、取替え対象主柱材を１つの腹材引付点を有する主柱材毎に区切って複数の切断区間に分け、当該各切断区間で主柱材を切断、撤去し、当該切断箇所に新規な主柱材短片を接続し、これらの作業を前記切断区間毎に順次行い、トラス構造を形成したまま取替え対象主柱材を複数の主柱材短片から成る新規な主柱材に取替える、山形鋼鉄塔の主柱材の取替え工法とした。
【００２０】
請求項２の発明は、前記切断、撤去する主柱材の腹材引付点に接続された部材を前記撤去前に取り外し、新規な主柱材短片を接続するごとに前記取り外した部材を再び接続する、請求項１に記載の山形鋼鉄塔の主柱材の取替え工法とした。
【００２１】
請求項３の発明は、山形鋼鉄塔の主柱材の取替え工法において、取替え対象主柱材の上下端に接続された他の主柱材を把持する支え材を設け、取替え対象主柱材の、最上位の腹材引付点に接合されている腹材及び水平材がある場合は当該水平材を取り外し、当該腹材引付点と上位２番目の腹材引付点までの箇所の主柱材を切断、撤去し、新規な主柱材短片を前記切断箇所の上位側の主柱材又は主柱材短片に接続し、当該新規な主柱材短片に前記取り外した腹材及び水平材がある場合は水平材を接合し、これらの作業を上から順に繰り返し、トラス構造を形成したまま、取替え対象主柱材を複数の主柱材短片から成る新規な主柱材に取替える、山形鋼鉄塔の主柱材の取替え工法とした。
【００２２】
また、請求項４の発明は、前記新規な主柱材短片と上位側の主柱材又は上位側の主柱材短片との接続は、接続箇所をまたいだ継手用部材をこれらの主柱材短片に当ててボルト・ナットにより接続する、請求項１〜３のいずれかに記載の山形鋼鉄塔の主柱材の取替え工法とした。
【００２３】
請求項５の発明は、前記新規な主柱材短片は、両端及び腹材引付点に接続用ボルト穴を予め設けている、請求項１〜４のいずれかに記載の山形鋼鉄塔の主柱材の取替え工法とした。
【発明の効果】
【００２４】
請求項１〜５の各発明によれば、取替え対象主柱材に接合された腹材を取り外した場合、すなわち、ダブルワーレン結構の安定構造において、一部の腹材を取り外した後も、シングルワーレン結構が形成されるので取替え対象主柱材を切断しても、鉄塔に働く応力をトラス構造として応力伝達することができる。
【００２５】
これにより、仮腹材を用いる必要がなく、既設腹材をそのまま使用してトラス構造を形成できるため、仮腹材の取付け構造や改造手順を検討する必要がない。また、既設部材には軸力のみ作用するものと仮定でき、既存設計と同様の考え方で強度検討を行うことができる。従って、仮腹材を用いる場合に比べ、事前検討時間を大幅に短縮することができる。
【００２６】
この様に、仮腹材を用いないため、仮腹材を取付ける作業を塔上で行う必要がなく、塔上での取替え工事を短縮できる。また、仮腹材の製作費用も発生せず、工事費用を低減できる。
【００２７】
更に、取替え対象主柱材を切断した後、上位の取替え対象主柱材を取り外して予め工場で製作して用意しておいた新規主柱材と取替え、先に取り外した腹材を接合してダブルワーレン結構に戻した後、他の腹材を取り外して新たなシングルワーレン結構を形成し、順次、取替え対象の主柱材を切断して新規な主柱材に取替えるため、鉄塔の構造的安定性を確実に維持できる。
【００２８】
また、新規な主柱材と切断した下位の取替え対象主柱材は接合する必要がないので、取替え対象主柱材の切断にあたっては寸法精度を管理する必要がなく、接続用のボルト穴あけ加工を塔上で行う必要もない。更に、最終的に切断した主柱材は全て撤去されるため、切断面に防錆処理を施す必要もない。
【図面の簡単な説明】
【００２９】
【図１】この発明の実施の形態例１の山形鋼鉄塔の主柱材の取替え工法の手順を示す説明正面図である。
【図２】この発明の実施の形態例１の山形鋼鉄塔の主柱材の取替え工法の手順を示す図１の続きの説明正面図である。
【図３】この発明の実施の形態例２の山形鋼鉄塔の主柱材の取替え工法の手順を示す説明正面図である。
【図４】この発明の実施の形態例２の山形鋼鉄塔の主柱材の取替え工法の手順を示す図３の続きの説明正面図である。
【図５】この発明の実施の形態例１及び２の山形鋼鉄塔の主柱材の取替え工法における新規な主柱材短片相互の接続構成を示す斜視図である。
【図６】従来例における取替え対象主柱材に支え材を設ける主柱材の取替え工法を示す概略構成正面図である。
【図７】従来例における取替え対象主柱材に支え材を設ける主柱材の取替え工法を示す他の概略構成正面図である。
【図８】従来例における主柱材の取替え工法の一般部において腹材を取り外し、トラス構造を形成できなくなることを示す概略構成正面図である。
【図９】従来例における主柱材の取替え工法の腕金取付け部において腹材を取り外し、トラス構造を形成できなくなることを示す概略構成正面図である。
【図１０】従来例における主柱材の取替え工法において一般部に仮腹材を取付け、トラス構造を形成しながら主柱材を取替えることを示す概略構成正面図である。
【図１１】従来例における主柱材の取替え工法において腕金取付け部に仮腹材を取付け、トラス構造を形成しながら主柱材を取替えることを示す概略構成正面図である。
【図１２】従来例における主柱材の取替え工法において一般部に仮腹材を取付け、腹材等の内付き部材や外付き部材が仮腹材と干渉し合わないように組み立ててトラス構造を形成しながら主柱材を取替えることを示す概略構成正面図である。
【図１３】従来例における主柱材の取替え工法において、腕金取付け部の水平材と仮腹材とが干渉し合い、仮腹材を取付けられない例を示す概略構成正面図である。
【図１４】従来例における主柱材の取替え工法において、仮腹材の取付け角度が主柱材の角度に近づき、仮腹材等に作用する応力が大きくなる例を示す概略構成正面図である。
【図１５】従来例における主柱材の取替え工法において、特別な仮腹材や仮設プレートを用いた複数の例を示す概略構成正面図である。
【発明を実施するための形態】
【００３０】
（実施の形態例１）
以下、この発明の実施の形態例１の山形鋼鉄塔の主柱材取替え工法を図１及び２に基づいて説明する。
【００３１】
図１の（１）図は既設鉄塔の主柱材と腹材との関係を示す正面図である。図１の（２）図〜（４）図、図２の（５）〜（７）図はそれぞれ実施の形態例１における本工法の手順を示す概略図である。
【００３２】
鉄塔Ａの４本の主柱Ｂは、それぞれ上下方向に複数の山形鋼から成る主柱材１を継ぎ足して設けられている。各主柱材１はその両端部にボルト穴を有しており、接続する上位側の主柱材１の端部及び下位側の主柱材１の端部にもボルト穴を有しており、上位側の主柱材１の端部ボルト穴と下位側の主柱材１の端部ボルト穴を重ね合わせ、ボルト穴にボルトを挿入して接続されている。
【００３３】
図１の（１）図において、主柱材１に２本の水平線で記載された部分（「＝」記号）が継手２を示す。また、各主柱材１は、斜めに配置された腹材３の接合位置にボルト穴を有し、腹材３の端部に設けられたボルト穴を重ね合わせ、ボルト穴にボルトを挿入することにより接合されている。
【００３４】
まず、図１の（２）図に示すように、複数の主柱材１のうち、取替え対象の主柱材１に添わせて支え材４を設置する。具体的には従来から主柱材取替え工法で用いられている、油圧ジャッキ等を有し、取替え対象の主柱材に加わる荷重に耐える支え材４であり、この支え材４の上下端を、取替え対象主柱材１の上下の継手２により接続された上位側の主柱材１と、下位側の主柱材１とに夫々把持させる。
【００３５】
次に、図１の（３）図に示すように、取替える主柱材１において、上位側の一つの腹材引付点（第１腹材引付点ａ）に接合されている腹材３ａからボルトを抜き、取替え対象主柱材１と各腹材３ａの接合を解除する。なお、取替え対象となる主柱材１には正面側と側面側に、夫々２本の腹材３ａが接合されていることから、合計４本の腹材３ａの接合を解除することとなる。この時、前記取替え対象主柱材１に他の腹材引付点、例えば、第２腹材引付点ｂ、第３腹材引付点ｃ等がある場合でも、これらは接合を解除しない。      
【００３６】
次に、取替え対象主柱材１において、腹材３ａが取り外された第１腹材引付点ａから次の下位側にある第２腹材引付点ｂを含まない範囲の中で主柱材１を切断する。その後、切断した取替え対象の主柱材短片１ａと上位側の接続主柱材１とを接続している継手２のボルトを抜き、切断した主柱材短片１ａを撤去する。これにより切断撤去した主柱材短片１ａに相対する正面側（正面左側）、側面側（側面奥側）の主柱材１の腹材引付点には腹材３ｂが接合されたままとなっているので、安定構造であるいわゆるシングルワーレン結構が維持される。なお、前述の腹材３ａの接合解除は、主柱材短片１ａを切断した後に行ってもよい。
【００３７】
次に、図１の（４）図に示すように、予め工場で製作しておいた、上下端に継手用ボルト穴と第１腹材引付点ａに当たる箇所に接合用ボルト穴を有する新規な主柱材短片５ａを塔上に上げ、撤去した主柱材短片１ａの前記上位側の接続主柱材１の既設の継手用ボルト穴を利用し新規な主柱材短片５ａを上位側の接続主柱材１と継手を介して接続する。
【００３８】
その後、図１の（４）図に示すように、先に取り外した４本の腹材３を、取替えた新規な主柱材短片５ａの第１腹材引付点ａに当たる位置にあけた接合用ボルト穴を利用してボルトで接合する。
【００３９】
次に、切断された塔上に残った既設の主柱材１について、切断位置より下位の第２腹材引付点ｂにおいて、前記腹材引付点に接合されている腹材３ｃからボルトを抜き、取替え対象主柱材１との接合を解除する。
【００４０】
次に、図１の（４）図に示すように、腹材３ｃが取り外された第２腹材引付点ｂを含め、次の第３腹材引付点ｃを含まない範囲の取替え対象の主柱材１を切断し、撤去する。切断撤去した主柱材短片１ｂに相対する正面側（正面左側）、側面側（側面奥側）の主柱材１には腹材引付点があり、前述と同様に、その腹材引付点には腹材３ｄが接合されたままとする。
【００４１】
そして、図２の（５）図に示すように、撤去した箇所に、予め工場で製作しておいた上下端に継手ボルト穴及び第２腹材引付点ｂに当たる位置に接合用ボルト穴を有する新規な主柱材短片５ｂを塔上に上げ、上位側の接続主柱材短片５ａの継手用ボルト穴を利用し、新規な主柱材短片５ｂを上位側の接続主柱材短片５ａと接続し、その後、先に取り外した４本の腹材３を新規な主柱材短片５ｂにボルトで接続する。
【００４２】
上記の取替え対象主柱材１について、図２の（５）図及び（６）図に示すように、腹材３ｅの接合解除、主柱材１の切断及び撤去、新規な主柱材短片５について、上位側の主柱材短片５との接合及び取り外した腹材３ｅの再接合という工程を繰り返し、支え材４で支えられた部位の主柱材１の取替えを順次進める。
【００４３】
なお、支え材４で支えられた部位の主柱材１の最後の取替え時では、主柱材１を切断せず、下位側の主柱材１との継手からボルトを抜くことで接続を解除する。また、支え材４で支えられた部位の主柱材１の取替え完了後、最後に接続した新規な主柱材短片５の下側端部を取替え対象主柱材１の下位側の接続主柱材１の継手用ボルト穴を利用し継手を介してボルトで接続する。
【００４４】
新規な主柱材短片５と既設の主柱材１をボルトで接続する継手は、取替え対象主柱材１の上位側、下位側の既設主柱材１との継手２と同一の継手を用いるものとし、切断後に取替えた新規な主柱材短片５ａ、５ｂ、５ｃ同士の継手は、図５に示すように、端部を突き合せた主柱材短片５ａ又は５ｂ又は５ｃの内側に、山形鋼から成る継手用部材７を添えてボルトで接合する突合せ継手２´を用いる。本継手の組み合わせにより、取替え対象の主柱材の背の位置と取替え後の新規な主柱材５の背の位置が一致するので、既設の腹材３をそのまま利用し、取り付けることができる。
【００４５】
また、主柱材同士をボルトで接続する突合せ継手では、継手長さが長くなり、構造上収まらない場合には、山形鋼の外側にも鋼板を添え、ボルトを２面せん断で対応させた突合せ継手とし、継手長さを短くすることも可能である。また、継手を従来の重ね継手とすることもできる。
【００４６】
そして、図２の（７）図に示すように、主柱材１の支え材４を取り外して、取替え作業が完了する。
【００４７】
他の取替え対象主柱材がある場合は、取替え対象主柱材の上位側、下位側に接続する主柱材に支え材を設置する工程から、上記工程を繰り返す。これにより、鉄塔頂部から順次一番下側の主柱材まで取替えることができる。また、同様の方法により、他の主柱の主柱材全てを取替えることも可能である。
【００４８】
（実施の形態例２）    
次に、本発明の実施の形態例２を図３及び図４に基づいて説明する。
【００４９】
図３の（１）図は、既設鉄塔Ａの主柱材１と腹材３及び腕金部Ｃとの関係を示す正面図である。なお、図では右腕金を省略しているが、本発明の実施の形態例２において、取替え対象主柱材１に取付けられた腕金Ｃを取り外すことを要件にしたものではない。取替え対象の主柱材１側の腕金Ｃが存在する場合でも、本工法は適用できる。図３の（２）図〜（４）及び図４の（５）図〜（７）図はそれぞれ実施の形態例２における手順を示す。
【００５０】
図３の（２）図に示すように、まず、取替え対象の主柱材１の上位側、下位側に接続された主柱材１に支え材４の上下端を把持させて、当該支え材４を取替え対象の主柱材１に添わせて設置する。
【００５１】
次に、図３の（３）図に示すように、取替える主柱材１において、上位側の一つの腹材引付点（第１腹材引付点ａ）に接合されている腹材３ａ等からボルトを抜き、取替え主柱材１との接合を解除する。更に、前記第１腹材引付点ａに水平材６が接合されている場合は当該水平材６と取替え対象主柱材１を接合するボルトを抜き、接合を解除する。このとき、前記取替え対象主柱材１に他の腹材引付点（第２腹材引付点ｂ、第３腹材引付点ｃ）がある場合でも、これらは接合を解除しない。
【００５２】
次に、腹材３ａが取り外された第１腹材引付点ａから、次の下位側にある第２腹材引付点ｂを含まない範囲の主柱材１を切断する。その後、切断した取替え対象の主柱材短片１ａと上位側の接続主柱材１とを接続している継手２のボルトを抜き、切断した取替え対象主柱材短片１ａを撤去する。これにより、切断撤去した主柱材短片１ａに相対する正面側（正面左側）、側面側（側面奥側）の主柱材１の腹材引付点には腹材３ｂが接合されたままとなっているので、安定構造であるいわゆるシングルワーレン結構が維持される。
【００５３】
次に、図３の（４）図に示すように、予め工場で製作しておいた、上下端及び腹材引付点に当たる位置に接合用ボルト穴を有する新規な主柱材短片５ａを塔上に上げ、撤去した主柱材短片１ａの前記上位側の接続主柱材１の既設の継手用ボルト穴を利用し、新規な主柱材短片５ａを上位側の接続主柱材１と接続する。その後、先に取り外した４本の腹材３と、水平材６を取り外した場合はその水平材６とを、取替えた新規な主柱材短片５ａにボルトで接合する。
【００５４】
上記を繰り返し、図４の（５）図〜（６）図に示すように、支え材４で支えられた部位の主柱材１の複数の主柱材短片５ａ〜ｃから成る新規な主柱材５への取替え完了後、最後に接続した新規な主柱材短片５ｃの下側端部と取替え対象の主柱材１の下側接続主柱材１をボルトで接続する。その後、図４の（７）図に示すように、主柱材１の支え材４を取り外し、取替え作業が完了する。
【００５５】
他の取替え対象主柱材がある場合には、取替え対象主柱材の上位側、下位側に接続する主柱材に支え材を設置する工程から、上記工程を繰り返す。これにより、鉄塔頂部から順次一番下側の主柱材まで取替えることができる。また、同様の方法により、他の主柱の主柱材全てを取替えることも可能である。
【００５６】
なお、上記実施の形態例１及び２において、腹材やその他の部材が腐食・損傷等している場合に、主柱材の取替え時に合わせて取替えを行うこともできる。また、上記実施の形態例１及び２では、主柱材の上位側から順次主柱材の取替えを行っているが、下位側から行うこともできる。更に、本発明は、山形鋼の鉄塔であれば送電用鉄塔のみならず、無線塔鉄塔などの塔状構造物の主柱材取替えを行うことも可能である。
【符号の説明】
【００５７】
Ａ      鉄塔                    Ｂ      主柱
Ｃ      腕金
１      主柱材                  １ａ〜１ｃ  主柱材短片
２      継手                    ２´    継手
３ａ〜３ｅ  腹材                ４      支え材  
５      新規な主柱材            ５ａ〜５ｃ  新規な主柱材短片
６      水平材                  ７      継手用部材
【要約】
【課題】トラス構造を維持しながら、容易かつ確実に山形鋼鉄塔の主柱材を取替える工法を提供する。
【解決手段】山形鋼鉄塔の主柱材の取替え工法において、上下端を取替え対象主柱材１の上下端に接続された他の主柱材１に支持させた支え材４を設け、取替え対象主柱材１の、最上位の腹材引付点に接合されている腹材３を取り外し、当該腹材引付点と上位２番目の腹材引付点までの箇所の主柱材１を切断、撤去し、新規な主柱材短片５ａを前記切断箇所の上位側の主柱材１に接続し、当該新規な主柱材短片５ａに前記取り外した腹材３を接合し、これらの作業を上から順に繰り返し、トラス構造を形成したまま、取替え対象主柱材１を複数の主柱材短片５ａから成る新規な主柱材５に取替える。
【選択図】      図１【図１】
0005948632.tif 000002
【図２】
0005948632.tif 000003
【図３】
0005948632.tif 000004
【図４】
0005948632.tif 000005
【図５】
0005948632.tif 000006
【図６】
0005948632.tif 000007
【図７】
0005948632.tif 000008
【図８】
0005948632.tif 000009
【図９】
0005948632.tif 000010
【図１０】
0005948632.tif 000011
【図１１】
0005948632.tif 000012
【図１２】
0005948632.tif 000013
【図１３】
0005948632.tif 000014
【図１４】
0005948632.tif 000015
【図１５】
0005948632.tif 000016